(57)【要約】【課題】冷却ユニットの基台の収納スペースを増加させる。【解決手段】冷凍装置が基台４０上に搭載されて冷却ユニット３０が形成され、底板２０上を摺動しつつ機械室１５内に引き出し可能に収納される。基台４０の奥縁側には、上方に開口した収納溝５０が一段下がって形成される。基台４０上には圧縮機３２、凝縮器３３、冷媒配管の一部等が設置され、特に冷媒配管のうちの低圧配管７４Ｃが、断熱材チューブ７５で被包された状態で、圧縮機３２のターミナル部３２Ａの下側に潜りつつ、基台４０を横切るように収納溝５０に収納される。ターミナル部３２Ａの上方が開放されるから、メンテナンス等がしやすくなる。冷却ユニット３０が引き出される際、低圧配管７４Ｃは収納溝５０の奥側の側板５０Ａで押されるようにして一体的に手前側に移動するから、配管の溶接部分に過大な応力が作用することが防がれる。【選択図】  図９
2005042953.tif 000002
【特許請求の範囲】
【請求項１】
貯蔵庫本体に付設された機械室内には、冷凍装置が基台上に搭載されて引き出し可能に収納された冷却貯蔵庫において、
前記基台の上面には、前記冷凍装置の冷媒配管等を収納可能な収納凹部が形成されていることを特徴とする冷却貯蔵庫。
【請求項２】
前記収納凹部は、前記基台の奥縁側のほぼ全幅にわたって溝状に形成されていることを特徴とする請求項１記載の冷却貯蔵庫。
【発明の詳細な説明】
【０００１】
【発明の属する技術分野】
本発明は、冷凍装置が機械室内に引き出し形式で収納される冷却貯蔵庫に関する。
【０００２】
【従来の技術】
この種の冷却貯蔵庫は横型冷蔵庫として知られており、例えば特許文献１に記載されている。
これは図１１に示すように、横長の断熱箱体からなる冷蔵庫本体１を有し、その側方に機械室２が形成されている。一方、冷凍装置が基台３上に搭載されてユニット化され、この冷却ユニットが機械室２内に引き出し可能に収納される。具体的には、冷凍装置のうちの圧縮機４Ａ、凝縮器４Ｂ等が下段に、冷却器５が上段に積み上げて搭載され、冷却器５は、機械室２内の上部において冷蔵室と連通して張り出し形成された冷却室６内に庫内ファン７ともども収納される。そして、冷凍装置（圧縮機４Ａ）並びに庫内ファン７が運転されると、冷却器５により生成された冷気が冷蔵室内に循環供給されて、冷蔵室内が冷却されるようになっている。
【０００３】
【特許文献１】
特開平１０−３００３１８号公報
【０００４】
【発明が解決しようとする課題】
ところで冷却ユニットを改めて見ると、基台３上には、上記した圧縮機４Ａ、凝縮器４Ｂに加えて、少なくとも凝縮器ファン、電磁弁、並びに冷媒配管の一部が配設される。ここで例えば、奥行寸法が６００ｍｍ，７５０ｍｍといった比較的大型の冷蔵庫では、これらの部材が基台３上に余裕を持って配置できるが、奥行寸法が４５０ｍｍといった小型のものになると、スペースに窮する。特にユニット化したことにより、冷媒配管のうちの低圧配管（冷却器５から圧縮機４Ａに向かう配管）の構造が複雑になるという事情も重なる。
【０００５】
このような場合従来では、低圧配管は、例えば圧縮機４Ａのターミナル部（リード線を接続する電気部品等の収納部）の上方の僅かなスペースを利用し、大部分を浮かせた状態で配管せざるを得なかった。
そうすると、例えばメンテナンスを行う際に、低圧配管が邪魔になって圧縮機４Ａのターミナル部のカバーが簡単に外せないために作業性が悪かったり、また低圧配管の大部分が浮いた状態となることから、冷却ユニットを出し入れする際に慣性力を受けて、配管の溶接部分に応力が生じる等の不具合があった。
本発明は上記のような事情に基づいて完成されたものである。
【０００６】
【課題を解決するための手段】
請求項１の発明は、貯蔵庫本体に付設された機械室内には、冷凍装置が基台上に搭載されて引き出し可能に収納された冷却貯蔵庫において、前記基台の上面には、前記冷凍装置の冷媒配管等を収納可能な収納凹部が形成されている構成としたところに特徴を有する。
また請求項２の発明は、請求項１に記載のものにおいて、前記収納凹部は、前記基台の奥縁側のほぼ全幅にわたって溝状に形成されているところに特徴を有する。
【０００７】
【発明の作用及び効果】
＜請求項１の発明＞
基台に収納凹部を設けたことで、冷媒配管等を、基台上に設置された他の部材の下側に潜り込むようにして配設することが可能となる。言い換えると、他の部材の上に被さるような邪魔をすることなく、基台上に配設スペースを増すことができる。また収納凹部に収められたものが冷媒配管である場合は、基台とともに出し入れされた際に、慣性力に起因して配管の溶接部分等に過大な応力が生じることが防止される。
＜請求項２の発明＞
ほぼ全幅にわたる溝状であるから特に冷媒配管を効率良く収納でき、また、基台とともに出し入れされた場合、収納凹部の側壁で冷媒配管が一体的に押圧されることで、配管の溶接部分等に応力が掛かることがより確実に防止される。
【０００８】
【発明の実施の形態】
以下、本発明の一実施形態を図１ないし図１０に基づいて説明する。
図１ないし図３において、符号１０は冷蔵庫の本体であって、前面に開口した横長の断熱箱体により構成され、その内部が冷蔵室１１となっている。前面の開口には観音開き式の断熱扉１２が備えられ、底面の四隅に設けられた脚１３によって支持されている。
本体１０の正面から見た左側部には、冷却ユニット３０が引き出し可能に収納される機械室１５が設けられている。機械室１５は大まかには、側面、背面及び底面にパネルが張られ、また本体１０側から延出された天板１０Ａが配されることで、前面が開口した箱形に形成されている。
【０００９】
機械室１５内の上部の奥側には、冷蔵室１１と連通した断熱性の冷却室１６が張り出し形成され、その前面には出入口１７が開口されているとともに、冷却室１６の下面側には収納スペース１８が確保されている。
冷却ユニット３０は、詳しくは後記するように、圧縮機３２、凝縮器３３、膨張弁及び冷却器３５（蒸発器）等を冷媒配管で循環接続してなる冷凍装置３１を、基台４０上に搭載してユニット化したものであって、収納スペース１８に収められる部分と、冷却室１６内に収められる部分とに分かれて、上下に積み上げ状に配置されている。
【００１０】
上記した収納スペース１８の底面には、底板２０が張られている。この底板２０は、亜鉛鉄板等の金属板製であって、図４に示すように、左右及び後縁に側板２１を設けた浅皿状に形成され、正面から見た右側板２１が本体１０の側面の下端部に、左側板２１が、冷却室１６の側面の下縁から垂下状に設けられた前後一対の支持フレーム２２の下端にそれぞれ固定されて支持されている。この底板２０上に、冷却ユニット３０の基台４０が出し入れ可能に載置されるようになっている。
なお、底板２０の中央部分には、排気口２３が形成されているとともに、前縁からは、ねじ孔２５が切られた取付板２４が立ち上がり形成されている。
【００１１】
基台４０は、同じく亜鉛鉄板等の金属板製であって、図５に示すように、左右両側縁に背の低い側板４１が形成された断面伏コ字形に形成されている。
基台４０の手前側の端縁には、上面が開口したほぼ溝状に曲げ形成された把手４２が形成されている。この把手４２は、冷却ユニット３０を引き出し操作する場合に使用される。この把手４２の奥側の側面における幅方向の中央部には、奥側に一段引っ込んだ形態で当て板４３が形成されている。この当て板４３は、上記した収納スペース１８の底板２０の取付板２４に当接可能であって、取付板２４のねじ孔２５と対応してねじ４４の挿通孔４５が形成されている。また把手４２の手前側の側板には、ねじ４４の挿入を許容する逃がし孔４６が切り欠き形成されている。
【００１２】
すなわち冷却ユニット３０の基台４０は、収納スペース１８の底板２０上に前方から押し込まれ、図７及び図８に示すように、把手４２の当て板４３が底板２０の取付板２４に突き当たることで押し込みが停止され、ねじ４４を逃がし孔４６から挿通孔４５を通して取付板２４のねじ孔２５に螺合して締め付けることにより、基台４０が底板２０に対して固定されるようになっている。
なお、基台４０の奥側の領域にも、排気口４７が形成されている。
【００１３】
さて、基台４０の後縁側では、正面から見た右側の角の部分が切除されており、切除部４９を除いた後縁の全幅にわたって、上面に開口した収納溝５０が曲げ形成されている。この収納溝５０は、後記するように冷媒配管を収納するように機能し、収納溝５０の溝底は、把手４２側の溝底と同様に、側板４１のほぼ下縁の位置まで下がっており、溝幅は、把手４２側の溝幅よりも少し広く形成されている。
収納溝５０の手前側の側面における右端に寄った位置と、そこから上った収納溝５０の上面側の側縁部とには、図６に示すように、冷媒配管を縛るバンド５２を通すための挿通孔５３が開口されている。
【００１４】
また、収納溝５０における長さ方向のほぼ中央部では、奥側の側板５０Ａから溝底における奥側のほぼ半分の領域にわたって、切欠部５５が形成されている。この切欠部５５は、ガイド用に奥側に向かって広がって形成されている。一方、上記した収納スペース１８の底板２０の奥縁に寄った位置には、図４に示すように、手前を向いた鈎状をなす係止突起２７が、切り起こし形成されている。
そして上記したように、基台４０が収納スペース１８の底板２０上に前方から押し込まれ、把手４２の当て板４３が底板２０の取付板２４に突き当たったところで、係止突起２７が切欠部５５の手前側の端縁５５Ａに当たる設定となっている。
【００１５】
冷凍装置３１は、基台４０上に以下のようにして搭載される。図２及び図９に示すように、基台４０上の奥側には圧縮機３２が設置される。このとき、圧縮機３２のターミナル部３２Ａ（リード線を接続する電気部品等の収納部）は、奥側を向いて収納溝５０の上方に被るように位置する。
一方、基台４０の手前側には凝縮器３３が設置され、その奥側に凝縮器ファン３３Ａが配される。凝縮器３３には、図１０に示すように、その上面から後面を覆うカバー６０がねじ６１で止められて取り付けられる。カバー６０の後面にはシュラウド６２が形成されているとともに、上下２個のブラケット６３，６４が設けられており、これらのブラケット６３，６４の脚部に、凝縮器ファン３３Ａの駆動用のモータ６５がねじ６１で止められことによって、凝縮器ファン３３Ａがシュラウド６２内に臨んで取り付けられている。したがって、凝縮器ファン３３Ａ並びにモータ６５は、カバー６０とともに上方に外すことができる。
なお、基台４０上には、他に膨張弁や電磁弁（ともに図示せず）等が配される。
【００１６】
凝縮器３３のカバー６０の上面板６０Ａの前端側には、Ｌ型ブラケット６７が取り付けられており、このＬ型ブラケット６７の立上り部には、上記した冷却室１６の出入口１７を閉塞するための冷却室蓋６８の下端部が、上面板６０Ａから浮いた状態で取り付けられている。
冷却室蓋６８の裏面側には、冷却室１６に対して出し入れ可能な冷却器３５がブラケット６９を介して取り付けられている。冷却器３５はケーシング３５Ａ内に収容されて設けられ、図３にも示すように、ケーシング３５Ａの底面から背面の下部にわたる領域と、冷蔵室１１側の面の上部が開放されていて、それぞれ空気の取入口７０と吹出口７１とされており、吹出口７１の前面には庫内ファン７２が取り付けられている。
【００１７】
図９に示すように、圧縮機３２の出口と凝縮器３３の入口とが配管７４Ａで接続され、凝縮器３３の出口と冷却器３５の入口とが配管７４Ｂで接続され、また冷却器３５の出口と圧縮機３２の入口３２Ｉとが配管７４Ｃで接続され、これにより冷凍サイクルが構成されている。上記の配管７４Ａ〜７４Ｃのうち、冷却器３５に出し入れされる配管７４Ｂ，７４Ｃは途中で一緒になって断熱材チューブ７５で被包されており、冷却室蓋６８の左側の端縁部分から側方に引き出されている。両配管７４Ｂ，７４Ｃの冷却室蓋６８から引き出される部分は押さえ具７６で固定される一方、冷却室１６の出入口１７の側縁には、押さえ具７６が嵌合される凹部７７が形成されている（図２参照）。
【００１８】
両配管７４Ｂ，７４Ｃは、断熱材チューブ７５で被包された状態で収納スペース１８の奥側に向かい、奥側において、冷却器３５の入口に向かう配管７４Ｂが、断熱材チューブ７５から出される。一方の圧縮機３２の入口３２Ｉに向かう配管７４Ｃ（低圧配管）は、断熱材チューブ７５で被包されたまま、正面から見た右側に回曲されたのち下向きに屈曲され、続いて圧縮機３２のターミナル部３２Ａの下側に潜りつつ、基台４０を正面から見た右から左に横切るようにして収納溝５０に収納され、その先端が圧縮機３２の入口３２Ｉに接続される。
ここで、低圧配管７４Ｃ（断熱材チューブ７５）は、底板２０の係止突起２７と干渉しない程度に収納溝５０の溝底から浮いた状態とされる。また、図６に示すように、収納溝５０における右側に寄った位置では、挿通孔５３に通したバンド５２で低圧配管７４Ｃ（断熱材チューブ７５）が縛られ、すなわち低圧配管７４Ｃ（断熱材チューブ７５）が収納溝５０内に固定された状態とされる。
【００１９】
なお、冷却室１６の前面壁の上下両縁から一対の取付ボルト８０が突設される一方、冷却室蓋６８には取付ボルト８０の挿通孔８１が設けられている。下側の挿通孔８１は、Ｌ型ブラケット６７の挿通孔８２と整合している。冷却室蓋６８の前面には、電装箱８４が取り付けられるようになっている。
また、機械室１５の前面の開口には、前面パネル８５が揺動開閉可能に装着されており、前面パネル８５の下部寄りの位置には、凝縮器３３等を冷却すべく外気の吸気口８６が形成されているとともに、上部における正面から見た左側縁側に排気口８７が開口されている。なお、側面パネルと背面パネルにも予備的に排気口が形成されている。
【００２０】
本実施形態の作用は以下のようである。
既述したように、基台４０上に、冷凍装置３１が上下に積み上げて搭載されることで冷却ユニット３０が形成される。冷却ユニット３０を機械室１５に収納する場合は、前面パネル８５が開放された状態において、基台４０が収納スペース１８の底板２０に載せられて押し込まれ、それとともに冷却器３５が出入口１７を通して冷却室１６内に挿入される。
基台４０が押し込まれてその終盤に掛かると、底板２０に設けられた係止突起２７が基台４０の収納溝５０の切欠部５５内に進入し、図８に示すように、切欠部５５の手前の端縁５５Ａに当たったところで押し込みが停止される。このとき、把手４２の当て板４３が底板２０の取付板２４に併せて突き当たるから、ねじ４４を把手４２の逃がし孔４６から挿通孔４５を通して、取付板２４のねじ孔２５にねじ込むことで基台４０が固定される。
【００２１】
この間、冷却室１６の前面から突設された取付ボルト８０が、冷却室蓋６８及びＬ型ブラケット６７の挿通孔８１，８２に挿通され、上記のように所定位置まで押し込まれると、配管７４Ｂ，７４Ｃの押さえ具７６が凹部７７に嵌まりつつ、冷却室蓋６８が冷却室１６の前面に当接し、冷却室蓋６８を貫通した取付ボルト８０の突出端にナット（図示せず）を螺合して締め付けると、冷却室蓋６８が冷却室１６の出入口１７を気密に閉鎖する。
以上により、冷却器３５が冷却室１６内に収容されるとともに、圧縮機３２、凝縮器３３等の下段部分が収納スペース１８に収納されることとなる。その後、機械室１５の前面パネル８５が閉じられる。
【００２２】
そして冷却運転に伴い、冷凍装置３１（圧縮機３２）並びに庫内ファン７２が駆動されると、図３の矢線に示すように、冷蔵室１１内の空気が冷却器３５の下部側に設けられた取入口７０から吸引され、冷却器３５を流通して冷気に変換されたのち、吹出口７１の庫内ファン７２から案内板７３に沿って冷蔵室１１の天井面側に吹き出されるように循環供給されることにより、冷蔵室１１内が冷却される。
この冷却運転の間、凝縮器ファン３３Ａの駆動に伴って、機械室１５の前面パネル８５の吸気口８６から外気が収納スペース１８に取り込まれ、凝縮器３３、圧縮機３２等が冷却される。冷却に供した後の暖排気は、冷却室１６の左側方のスペースに立ち上ったのち、前面パネル８５の排気口８７から機外前方に排出され、また基台４０と底板２０の排気口４７，２３を通して機械室１５の下面側に排出されるようになっている。なお当該冷蔵庫の設置の関係で、機械室１５の背面や左側面が開放されている場合は、暖排気の一部が、背面パネルや側面パネルの排気口からも排出される。
【００２３】
メンテナンス等において冷却ユニット３０を機械室１５から引き出す場合は、前面パネル８５を開いたのち、冷却室蓋６８を固定しているナットを外すとともに、基台４０を固定しているねじ４４を外す。続いて、基台４０の前縁に設けられた把手４２に手を掛け、必要に応じて、凝縮器３３のカバー６０の上面板６０Ａに形成されたフランジ８９にもう一方の手を添えて引くと、冷凍装置３１を搭載した状態で基台４０が底板２０上を滑って引き出される。
ここで、低圧配管７４Ｃ（断熱材チューブ７５）が収納溝５０に収納されていて、冷却ユニット３０が引き出されるときに、収納溝５０の奥側の側板５０Ａで押されるようにして一体的に手前側に移動するから、慣性力に起因して冷媒配管の溶接部分に過大な応力が作用することが回避される。
また、低圧配管７４Ｃが収納溝５０に収納されて圧縮機３２のターミナル部３２Ａの上方が開いた状態とされるから、カバーを外して内部のメンテナンス等を行う場合に、その作業がしやすい。
【００２４】
以上のように本実施形態によれば、基台４０の後縁側に一段下がった収納溝５０を形成したから、低圧配管７４Ｃを、圧縮機３２のターミナル部３２Ａの下を潜らせて配管することができる。そのため、ターミナル部３２Ａのカバーが外しやすい等、圧縮機３２の回りでのメンテナンスの作業性が良くなる。また、低圧配管７４Ｃには結露が生じやすいのであるが、ターミナル部３２Ａ内に結露水が浸入することが未然に防止される。
さらに、低圧配管７４Ｃ（断熱材チューブ７５）が収納溝５０に収納され、冷却ユニット３０が引き出されるときに、収納溝５０の奥側の側板５０Ａで押されるようにして一体的に手前側に移動するから、慣性力に起因して配管の溶接部分に過大な応力が作用すること等も防止される。
【００２５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）基台に収納凹部を設けて収納するものは冷媒配管に限らず、冷凍装置の構成部材等、基台上に配される他の部材であってもよい。
（２）収納凹部を形成する場所も、収納する対象等に応じて基台上の任意の場所に設定してよい。
（３）また本発明は、冷却器は冷却室内に固定的に設けて、下段側の圧縮機や凝縮器等のみを機械室内に引き出し可能に収納する形式のものにも、同様に適用することが可能である。
【図面の簡単な説明】
【図１】本発明の一実施形態に係る冷蔵庫の外観斜視図
【図２】その分解斜視図
【図３】その正面から見た断面図
【図４】機械室の底板の斜視図
【図５】基台の斜視図
【図６】基台の奥端側を示す部分斜視図
【図７】基台を底板に結合する動作を示す斜視図
【図８】同縦断面図
【図９】冷却ユニットが機械室内に収納された状態の縦断面図
【図１０】凝縮器ファンの取付構造を示す分解斜視図
【図１１】従来例の正面図
【符号の説明】
１０…冷蔵庫本体（貯蔵庫本体）  １５…機械室  １６…冷却室  １８…収納スペース  ２０…底板  ３０…冷却ユニット  ３１…冷凍装置  ３２…圧縮機  ３２Ａ…ターミナル部  ３３…凝縮器  ４０…基台  ５０…収納溝（収納凹部）５０Ａ…（収納溝５０の奥側の）側板  ７４Ｃ…低圧配管  ７５…断熱材チューブ
【図１】
2005042953.tif 000003
【図２】
2005042953.tif 000004
【図３】
2005042953.tif 000005
【図４】
2005042953.tif 000006
【図５】
2005042953.tif 000007
【図６】
2005042953.tif 000008
【図７】
2005042953.tif 000009
【図８】
2005042953.tif 000010
【図９】
2005042953.tif 000011
【図１０】
2005042953.tif 000012
【図１１】
2005042953.tif 000013